(57)【要約】【課題】水を必要とする適量分が異なる種類の植物を同時に栽培するとともに、省スペース化を図ることのできる植物栽培方法を提供すること。【解決手段】水受け皿１上に、上段の植木鉢３Ｂを積み上げた下段の植木鉢３Ａを配置する。下段の植木鉢３Ａには、用土５Ａを充填するとともに、用土５Ａにおける水分含有率を７０〜９０％とする。上段の植木鉢３Ｂには、用土５Ｂを充填するとともに、用土５Ｂにおける水分含有率を１０〜５０％にする。そして、下段の植木鉢３Ａには、水を多量に必要とする植物７Ａ、例えば、ハエトリグサを植設し、上段の植木鉢３Ｂには、水をそれほど必要としない植物７Ｂ、例えば、ムシトリスミレを植設する。【選択図】図１
2005237327.tif 000002
【特許請求の範囲】
【請求項１】
水が充填された水受け皿上に、用土を充填した容器を複数段に積み上げることによって、下段側の容器の用土に含まれる水分を多くし、上段側に向かうにしたがって、順に水分を少なくする植物栽培方法であって、
下段側の容器には、多い水分で栽培されることに適した植物を植設して、上段に向かうにしたがって、順に少ない水分で栽培されることに適した植物を植設することを特徴とする植物栽培方法。
【請求項２】
上下方向に隣接する容器間には、上段側の容器に水を補給促進する補給手段が配設されていることを特徴とする請求項１記載の植物栽培方法。
【請求項３】
水が充填された水受け皿上に、用土を充填した単一の容器を複数段に積み上げることによって、下段側の単一の容器の用土に含まれる水分を多くし、上段側に向かうにしたがって、順に水分を少なくするように水を補給する植物栽培用容器であって、
単一の容器を固着手段で一体的に形成して複数段に積み上げるとともに、
水分を多く必要とする第１の植物を下段の単一の容器に植設可能とし、少ない水分で栽培されることに適した植物を順に上段側の容器に植設可能に構成することを特徴とする植物栽培用容器。
【請求項４】
前記各容器には、底部に水分を補給するための補給孔が形成されていることを特徴とする請求項３記載の植物栽培用容器。
【請求項５】
前記固着手段が、上下方向に隣接する単一の容器間に配置するとともに、下段側の単一の容器に一端が固着され他端が上段の単一の容器に固着される支持部材を有することを特徴とする請求項３又は４記載の植物栽培用容器。
【請求項６】
上段に配置する単一の容器が、下段に配置する単一の容器に対して軸方向に偏心した位置に配置されていることを特徴とする請求項３，４又は５記載の植物栽培用容器。
【発明の詳細な説明】
【技術分野】
【０００１】
本発明は補給する水分の量によって適宜に植設できる植物栽培方法と植物栽培用容器に関する。
【背景技術】
【０００２】
植物を栽培する際、植物には適度な量の水分を必要とする。特に家庭菜園として植物を植木鉢に植設して栽培する場合には、水分の管理を充分に行うことが必要となる。例えば、特許文献１に示されている植物栽培容器５０では、図８に示すように、植物栽培用土５２が入る用土ケース部５１と、用土ケース部５１の横に並設される水槽部５３と、用土ケース部５１と水槽部５３とを区画する仕切り板５４と水槽部５２内の水を用土ケース部５１内へ流入させるゲート部５５とを備えている。これによって、水槽部５３からの水はゲート部５５を通って適宜流入することから、必要な量の水分を用土５２に補給することができる。
【特許文献１】特開２００３−８８２４６公報（２〜３頁、図１参照）
【発明の開示】
【発明が解決しようとする課題】
【０００３】
しかし、複数の種類の植物においては、必要とする水分の量が同じであるとは限らない。例えば、スイセンは多量の水分を必要とするのに対しサボテンはほとんど水を必要としない。この２種類の植物を家庭菜園として植設する場合、水の補給の適量が異なることから、ひとつの植木鉢では植えることができず、２つの植木鉢を並設して栽培することとなる。しかし、一般家庭においては、複数の植木鉢あるいは多数の植木鉢を並置するには置き場所が制限されて植木鉢を載置するスペースが少ない。一方、前述のごとく、各種の植物は、必要とする水の適量が異なることから、ひとつの植木鉢で１種類の植物を植えざるを得なかった。
【０００４】
特許文献１に示す植物栽培用容器５０は、１種類の植物５６に対して水の管理を行うものであり、水の適量の異なる複数の植物に対して適用するものではない。従って、多種類の植物をひとつの水受け皿で栽培できる効率のよい栽培方法や栽培用容器が要望されていた。
【課題を解決するための手段】
【０００５】
本発明は、上述の課題を解決するものであり、必要とする適量の水分が異なる複数の植物を同時に栽培できる植物栽培方法及び植物栽培用容器を提供することを目的とする。
【０００６】
そのために、請求項１記載の発明では、水が充填された水受け皿上に、用土を充填した容器を複数段に積み上げることによって、下段側の容器の用土に含まれる水分を多くし、上段側に向かうにしたがって、順に水分を少なくする植物栽培方法であって、
下段側の容器には、多い水分で栽培されることに適した植物を植設して、上段に向かうにしたがって、順に少ない水分で栽培されることに適した植物を植設することを特徴とするものである。
【０００７】
請求項２記載の発明では、上下方向に隣接する容器間には、上段側の容器に水を補給促進する補給手段が配設されていることを特徴としている。
【０００８】
請求項３記載の発明では、水が充填された水受け皿上に、用土を充填した単一の容器を複数段に積み上げることによって、下段側の単一の容器の用土に含まれる水分を多くし、上段側に向かうにしたがって、順に水分を少なくするように水分を補給する植物栽培容器であって、
単一の容器を固着手段で一体的に形成して複数段に積み上げるとともに、
水分を多く必要とする第１の植物を下段の単一の容器に植設可能とし、少ない水分で栽培されることに適した植物を順に上段側の単一の容器に植設可能に構成することを特徴とするものである。
【０００９】
また、請求項４記載の発明では、前記各容器には、底部に水分を補給するための補給孔が形成されていることを特徴としている。
【００１０】
また、請求項５記載の発明では、前記固着手段が、上下方向に隣接する単一の容器間に配置するとともに、下段側の単一の容器に一端が固着され他端が上段の単一の容器に固着される支持部材を有することを特徴としている。
【００１１】
また、請求項６記載の発明では、上段に配置する単一の容器が、下段に配置する単一の容器に対して軸方向に偏心した位置に配置されていることを特徴としている。
【発明の効果】
【００１２】
請求項１記載の発明による植物の栽培方法によれば、水分を必要とする量が異なる複数の植物は、用土を充填した容器を順に積み上げ、水分を必要とする量の多い順から、下段から上段に向かって容器内に植設する。つまり、下段の容器を、水を充填した水受け皿の上方に配置して、順に積み上げることによって、下段の容器内に含ませる水分は多く、上方に向かうにしたがって水分が少なくなる。このことから、下段の容器には水を多く必要とする植物を植設し、水の量が少なくてもよい植物は上段の容器に植設することとなる。
【００１３】
従って、複数の異なる植物に対して効率的な栽培を行うことができるとともに、一つの容器で水分の量を多く必要とする植物と水分の量が少なくてもよい植物とを同時に観賞できて楽しむことができる。しかも、容器を積み上げることによって省スペース化を図ることができる。
【００１４】
請求項２記載の発明によれば、上段の容器に向かって、補給手段を用土より吸収性の良好なもの、例えば、スポンジで形成する補給手段を配置することによって、上段の容器に水を迅速にかつ確実に補給することができる。
【００１５】
請求項３記載の発明の植物栽培用容器によれば、容器は、単一の容器を固着手段で複数段に積み上げるように一体的に構成するものであり、下段の容器には用土に水を多く含むようにし、上段に向かうに従って水の含む量を減少させている。従って、水を多量に欲する植物を植設した容器を下段に配置させ、水の欲する量の少ない植物を植設した容器を上段に配置させる。これによって水分の適量が異なる複数の植物を同時に栽培することができ、効率のよい栽培を行うことができるとともに、一つの容器で水分の量を多く必要とする植物と水分の量が少なくてもよい植物とを同時に観賞できて楽しむことができる。しかも、容器を配置するスペースを少なくできるとともに、持ち運びを容易にすることができる。
【００１６】
請求項４記載の発明では、各段の容器には、底部に水分補給用の孔を形成していることから、用土に含まれる水分は、毛細管現象により上方の容器に吸引されることとなる。従って、複数段に積み込まれた容器の用土には水分が含まれることとなるが、上段に向かうにしたがってその量は徐々に少なくなる。そのため、上段側の容器に水分の量が少なくてもよい植物を植えることとなる。
【００１７】
請求項５記載の発明では、上下方向に隣接する容器の間には、上方の容器を支持する支持部材を下方の容器に支持して配置していることから、上方の容器を適度な位置に浮き上がらせて配置することができる。これによって、容器を順に積み上げて容器を固着させた後、各容器内に用土を充填させることから、容器の軸心を垂直方向に安定させることができる。
【００１８】
請求項６記載の発明では、下段の容器に対して軸方向に偏心した上段の容器を、偏心した位置を後部に位置するように配置する。これによって、正面視、下段の容器における上段の容器の前方に多量の植物を植設でき、観賞度を向上できる。
【発明を実施するための最良の形態】
【００１９】
本発明の一形態を図面に基づいて説明する。以下に説明する容器は植木鉢であり、鉢内に充填された用土に植物を植えている。なお、植設する植物は、食虫植物を含んで説明するものであるが、勿論、植物は、食虫植物以外の植物であっても構わない。
【００２０】
図１〜２は、単一の容器（以下、植木鉢という）３（３Ａ、３Ｂ）を水受け皿１上に２段に積み込んでそれぞれの植木鉢３Ａ、３Ｂに植物７（７Ａ、７Ｂ）を植設している状態の斜視図と断面図を示すものである。植木鉢３は、樹脂製の材料で形成するものであるが、これに限定するものではなく、例えば、陶製のものや金属製の材料であってもよい。
【００２１】
それぞれの植木鉢３Ａ、３Ｂには用土５（５Ａ、５Ｂ）が充填されていて、それぞれの用土５Ａ、５Ｂに水分が含まれる。水分の量は、下段の植木鉢３Ａの用土５Ａが水受け皿１から吸収され、上段の植木鉢３Ｂの用土５Ｂは下段の植木鉢３Ａの用土５Ａに含まれる水分を吸収することから、下段の植木鉢３Ａの用土５Ａに含まれる水分の量は、下段の植木鉢３Ａの用土５Ａが上段の植木鉢３Ｂの用土５Ａより多く、その含有率は、用土５Ａの乾燥度１００に対して７０〜９０％であり、上段の植木鉢３Ｂの用土５Ｂは１０〜５０％である。
【００２２】
この形態では、下段の植木鉢３Ａに用土５Ａを充填させた後、用土５Ｂを充填させた上段の植木鉢３Ｂを積み上げ、その後、それぞれの植木鉢３Ａ、３Ｂに植物７Ａ、７Ｂを植える。
【００２３】
それぞれの植木鉢３Ａ、３Ｂの底面には、水補給用の補給孔３１Ａ、３１Ｂを形成して、下段の植木鉢３Ａの用土５Ａは、下方の水受け皿１に貯溜された水を用土５Ａ、５Ｂ側に吸収している。また、上段の植木鉢３Ｂは、積み上げられるため、下段の植木鉢３Ａより小さく形成されている。
【００２４】
一方、各種の植物７には、水を多量に必要とする植物や、それほど必要としない植物、ほとんど必要としない植物等があり、それぞれ栽培すると、用土５に含まれた水分の量によって、それに適した植物７をそれぞれの植木鉢３に植えることとなる。つまり、水を多量に必要とする植物７Ａには、スイセン、ハエトリグサや各種のモウセンゴケ類、又はイシモチソウ、あるいはミミカキグサ等があり、これらの植物７Ａを下段の植木鉢３Ａに植設する。又、水をそれほど必要としない植物７Ｂには、ムシトリスミレ類やサボテン等があるが、これらの植物を上段の植木鉢３Ｂに植設する。
【００２５】
これによって、一つの水受け皿上１に、水を多量に必要とする植物７Ａと、水をそれほど必要としない植物７Ｂとを同時に栽培することができる。
【００２６】
図３〜４は、植木鉢３を３段に積み上げた形態を示すものであり、水受け皿１上に、下段の植木鉢３Ａと、下段の植木鉢３Ａより小径に形成された中段の植木鉢３Ｂと、中段の植木鉢３Ｂより小径に形成された上段の植木鉢３Ｃとを上下方向に順に配置している。下段の植木鉢３Ａでは、用土５Ａは、水補給孔３１Ａを介して水受け皿１の水を吸収するため、用土５Ａの水分含有率が８０〜９０％であり、中段の植木鉢３Ｂでは、用土５Ｂが水補給孔３１Ｂを介して用土５Ａに含まれている水分を吸収するため、水分の量は少なくなりなって用土５Ｂの水分含有率が３０〜５０％であり、上段の植木鉢３Ｃでは、用土５Ｃが、水補給孔３１Ｃを介して用土５Ｂに含まれている水分を吸収するため、水分の量はさらに少なくなってその水分含有率が１０〜３０％である。
【００２７】
そして、下段の植木鉢３Ａで栽培される植物７Ａは、水を多量に必要とする、例えば、ミミカキグサやハエトリグサであり、中段の植木鉢３Ｂで栽培される植物７Ｂは、例えば、モウセンゴケやムシトリスミレであり、上段の植木鉢で栽培される植物は、例えば、食虫植物ではないが水の補給をほとんど必要としないサボテンである。
【００２８】
なお、用土５が水分を吸収する高さは、本出願人が実験したところ、約２５ｃｍであり、それ以上には吸収できないことが明らかになった。従って、複数段に積み上げられる植木鉢３の数は、２５ｃｍ以内であれば、何段に積み上げてもよいことになる。
【００２９】
次に、複数段に一体的に構成する複数段容器１０の説明をする。図５に示すように、複数段容器１０は、下段容器１０Ａと上段容器１０Ｂとを固着して形成するものである。
【００３０】
上段容器１０Ｂを下段容器１０Ａの上方に配置して２段に積み上げた状態において、上段容器１０Ｂと下段容器１０Ａとの間には、発泡スチロールで形成された支持部材１１を介在している。支持部材１１は、植木鉢の重量を支持できるものであれば、他の樹脂製の材料でもよく、また、金属製の材料で形成されてもよい。支持部材１１は、下段容器１０Ａに接着剤で固着されるか、樹脂製で形成された下段容器１０Ａであれば下段容器１０Ａと支持部材１１とを一体的に成形してもよい。
【００３１】
上段容器１０Ｂは、その下面を支持部材１１の上端面に接着剤で接着することによって、支持部材１１と固着している。支持部材１１の形状は、棒状のものを複数列に下段容器１０Ｂから立設するようにして上段容器１０Ｂを支持してもよく、また、１本の棒状の部材に、上端部を皿状にして形成したものでもよい。いずれにしても、下段容器１０Ａの底面に固着して上段容器１０Ｂの下面に接着できるものであれば、特に形状を限定するものではない.
支持部材１１を装着して単一の容器１０Ａ・１０Ｂを複数段に積み上げる場合、複数段の各単一の容器１０Ａ・１０Ｂを支持部材１１で接着させることによって一体化した容器１０に、各段の単一の容器１０Ａ・１０Ｂにそれぞれ用土５Ａ・５Ｂを充填し、水受け皿１上に配置することとなる。そして、その後、上述の形態と同様に、下段容器１０Ａには、水を多量に必要とする植物７Ａを植え上段容器１０Ｂに水をそれほど必要としない植物７Ｂを植えることとなる。
【００３２】
なお、上段容器１０Ｂの埋設深さは、特に限定するものではないが、図例においては、上段容器１０Ｂの下面が、下段容器１０Ａの上面から１／２〜１／３程度の深さまで侵入している。
【００３３】
図６に示す形態の複数段容器２０は、上段容器２０Ｂを下段容器２０Ａに対して軸方向に偏心した位置に配置したものであり、上段容器２０Ｂの側面の外壁面２０２を下段容器２０Ａの内壁面２０１に接着剤２２で固着している。
【００３４】
従って、複数段容器２０は、下段容器２０Ａと上段容器２０Ｂとが一体的に形成されたものを示すこととなる。この複数段容器２０では、下段容器２０Ａと上段容器２０Ｂとの間に、図５で示した支持部材１１を介在している。支持部材１１の上下端をそれぞれ下段容器２０Ａと上段容器２０Ｂに接着剤で接着して固着してもよいが、接着剤で接着しなくても、下段容器２０Ａと上段容器２０Ｂとの間に圧入するように嵌め込んでもよい。
【００３５】
さらには、上段容器２０Ｂが外壁面２０２で下段容器２０Ａの内壁面２０１に接着していることから、特に支持部材１１を介在しなくてもよい。
【００３６】
また、上段容器２０Ｂの外壁面２０２が下段容器２０Ａの内壁面２０１と接触しない位置で偏心して配置する場合、上段容器２０Ｂの外壁面２０２が下段容器２０Ａの内壁面２０１との間には接着剤２２で接続できないことから、支持部材１１の上下端で固着することとなる。
【００３７】
そして、上述の形態と同様に、下段容器２０Ａに用土５Ａを充填し、上段容器２０Ｂに用土５Ｂを充填した後、下段容器１０Ａには、水を多量に必要とする植物７Ａを植え上段容器１０Ｂに水をそれほど必要としない植物７Ｂを植えることとなる。
【００３８】
この複数段容器２０では、それぞれ単一の容器２０Ａ・２０Ｂに植物７Ａ・７Ｂを植えた後、上段容器２０Ｂの偏心した位置を前後方向の後側に向けて配置させることによって、正面から観賞する状態では、上段容器２０Ｂの手前には、下段容器２０Ａの植物７Ａを多量に植設することができるから、観賞度を向上することができる。
【００３９】
しかも、図５及び図６に示す複数段容器１０・２０では、上段容器１０Ｂ・２０Ｂを手で持って持ち運びしても、接着剤で一体的に接着していることから、下段容器１０Ａ・２０Ａを落下させることがない。
【００４０】
なお、本発明の植物栽培方法では、上述の形態に限定するものではなく、例えば、図７に示すように、下段容器３Ａに充填されている用土５Ａ内に、スポンジ等の水補給部材９を挿入することによって、上段容器３Ｂに充填された用土５Ｂに積極的に水分を補給するようにしてもよい。この水補給部材９は、下段容器３Ａの補給孔３１Ａと上段容器３Ｂの補給孔３１Ｂに向かうように用土５Ａ内に配置させることが、水の補給効率を向上させるために望ましい。
【００４１】
従って、水補給部材９を配置させることによって、上段に植える植物７Ｂには、下段に植える植物７Ａよりは水の補給を必要としないが、水を適度に必要とする植物に適している。
【００４２】
上述のように、実施形態の植物の栽培方法は、植木鉢を複数段に積み上げて、それぞれ容器の用土に含む水の量を、下段容器から上段容器に向かうにしたがって少なくしている。そして、それぞれの段の容器に水の量に適した植物を植えるようにしたことから、異なる種類の植物を同時に栽培することができて観賞度を向上できるとともに、植木鉢の載置するスペースを少なくして省スペース化を図り、効率のよい栽培を行うことができる。
【００４３】
また、複数段に構成する複数段容器は、上段容器を下段容器に支持部材、あるいは，側壁部どうしで接着して一体的に構成することから、上述の栽培方法と同様の効果を達成できるとともに、上段容器を手で持って持ち運びしても、下段容器を落下させることがない。
【図面の簡単な説明】
【００４４】
【図１】本発明の植物栽培方法における一形態の栽培状態を示す斜視図である。
【図２】図１における縦断面図である。
【図３】本発明の植物栽培方法における別の形態の栽培状態を示す斜視図である。
【図４】図３における縦断面図である。
【図５】本発明の複数段容器の一形態を示す断面図である。
【図６】別の形態の複数段容器を示す断面図である。
【図７】本発明の別の形態の植物栽培方法の栽培状態を示す断面図である。
【図８】従来の植物栽培容器を示す断面図である。
【符号の説明】
【００４５】
１、水受け皿
３（３Ａ・３Ｂ・３Ｃ）、植木鉢
５（５Ａ・５Ｂ・５Ｃ）、用土
７（７Ａ・７Ｂ・７Ｃ）、植物
９、水補給部材
１０、複数段容器
１０Ａ、下段容器
１０Ｂ、上段容器
１１、支持部材
２０、複数段容器
２０Ａ、下段容器
２０Ｂ、上段容器
２２、接着剤
【図１】
2005237327.tif 000003
【図２】
2005237327.tif 000004
【図３】
2005237327.tif 000005
【図４】
2005237327.tif 000006
【図５】
2005237327.tif 000007
【図６】
2005237327.tif 000008
【図７】
2005237327.tif 000009
【図８】
2005237327.tif 000010